【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
マルチレイヤビデオデータの第１のレイヤの第１のピクチャのためにデータを復号することと、ここにおいて、前記復号されたデータは、前記第１のピクチャのピクチャ順序カウント（ＰＯＣ）値のためのＰＯＣリセットを示し、前記第１のピクチャがアクセスユニット中に含まれる、
前記第１のピクチャのために復号される前記データに基づいて、および、前記第１のピクチャを復号するより前に、前記マルチレイヤビデオデータの第２のレイヤの少なくとも１つのピクチャを含む、復号順序において前記第１のピクチャに先行する、復号ピクチャバッファ（ＤＰＢ）に記憶されたすべてのピクチャのＰＯＣ値をデクリメントすることと
を備える方法。
【請求項２】
ビデオデータを符号化する方法であって、
マルチレイヤビデオデータの第１のレイヤの第１のピクチャのためにデータを符号化することと、ここにおいて、前記符号化されたデータは、前記第１のピクチャのピクチャ順序カウント（ＰＯＣ）値のためのＰＯＣリセットを示し、前記第１のピクチャがアクセスユニット中に含まれる、
前記第１のピクチャのために符号化される前記データに基づいて、および、前記第１のピクチャを復号するより前に、前記マルチレイヤビデオデータの第２のレイヤの少なくとも１つのピクチャを含む、復号順序において前記第１のピクチャに先行する、復号ピクチャバッファ（ＤＰＢ）に記憶されたすべてのピクチャのＰＯＣ値をデクリメントすることと
を備える方法。
【請求項３】
前記第１のピクチャに時間的に先行する、前記ＤＰＢに記憶されたすべてのピクチャの前記ＰＯＣ値をデクリメントすることが、前記アクセスユニットの復号中に１回のみ、前記ＰＯＣ値をデクリメントすることを備え、および／または、前記ＰＯＣ値をデクリメントすることが、前記第１のピクチャのビデオデータの初期スライスのためのスライスヘッダを復号した後、前記ＰＯＣ値をデクリメントすることを備える、請求項１に記載の方法、または、
前記第１のピクチャに時間的に先行する、前記ＤＰＢに記憶されたすべてのピクチャの前記ＰＯＣ値をデクリメントすることが、前記アクセスユニットの符号化中に１回のみ、前記ＰＯＣ値をデクリメントすることを備え、および／または、前記ＰＯＣ値をデクリメントすることが、前記第１のピクチャのビデオデータの初期スライスのためのスライスヘッダを符号化した後、前記ＰＯＣ値をデクリメントすることを備える、請求項２に記載の方法。
【請求項４】
前記ＰＯＣリセットを示す前記データを復号することが、ビデオデータの前記第１のピクチャのスライスのためのＰＯＣリセットインデックスを表すデータを復号することを備える、請求項１に記載の方法、または、前記ＰＯＣリセットを示す前記データを符号化することが、ビデオデータの前記第１のピクチャのスライスのためのＰＯＣリセットインデックスを表すデータを符号化することを備える、請求項２に記載の方法。
【請求項５】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットであり、および／または、前記第１のピクチャが、前記アクセスユニット中に存在する最下位レイヤ識別子に関連付けられたピクチャであり、ここにおいて、前記ＰＯＣ値をデクリメントすることが、共通のＰＯＣデクリメント値を使用して、前記ＰＯＣ値をデクリメントすることを備え、前記方法は、好ましくは、前記ＰＯＣ値をデクリメントするためのＰＯＣデクリメント値を示す、ＤｅｌｔａＰｏｃＶａｌシンタックス要素を復号することをさらに備える、請求項１または請求項２に記載の方法。
【請求項６】
ビデオデータを復号するためのデバイスであって、
マルチレイヤビデオデータを記憶するように構成された復号ピクチャバッファ（ＤＰＢ）を備えるメモリと、
マルチレイヤビデオデータの第１のレイヤの第１のピクチャのためにデータを復号することと、ここにおいて、前記復号されたデータは、前記第１のピクチャのピクチャ順序カウント（ＰＯＣ）値のためのＰＯＣリセットを示し、前記第１のピクチャがアクセスユニット中に含まれる、
前記第１のピクチャのために復号される前記データに基づいて、および、前記第１のピクチャを復号するより前に、前記マルチレイヤビデオデータの第２のレイヤの少なくとも１つのピクチャを含む、復号順序において前記第１のピクチャに先行する、前記ＤＰＢに記憶されたすべてのピクチャのＰＯＣ値をデクリメントすることと
を行うように構成されたビデオデコーダと
を備えるデバイス。
【請求項７】
ビデオデータを符号化するためのデバイスであって、
マルチレイヤビデオデータを記憶するように構成された復号ピクチャバッファ（ＤＰＢ）を備えるメモリと、
マルチレイヤビデオデータの第１のレイヤの第１のピクチャのためにデータを符号化することと、ここにおいて、前記符号化されたデータは、前記第１のピクチャのピクチャ順序カウント（ＰＯＣ）値のためのＰＯＣリセットを示し、前記第１のピクチャがアクセスユニット中に含まれる、
前記第１のピクチャのために符号化される前記データに基づいて、および、前記第１のピクチャを復号するより前に、前記マルチレイヤビデオデータの第２のレイヤの少なくとも１つのピクチャを含む、復号順序において前記第１のピクチャに先行する、前記ＤＰＢに記憶されたすべてのピクチャのＰＯＣ値をデクリメントすることと
を行うように構成されたビデオエンコーダと
を備えるデバイス。
【請求項８】
前記第１のピクチャに時間的に先行する、前記ＤＰＢに記憶されたすべてのピクチャの前記ＰＯＣ値をデクリメントするために、前記ビデオデコーダが、前記アクセスユニットの復号中に１回のみ、前記ＰＯＣ値をデクリメントすることと、および／または、前記第１のピクチャのビデオデータの初期スライスのためのスライスヘッダを復号した後、前記ＰＯＣ値をデクリメントすることとを行うように構成される、請求項７に記載のデバイス、または、
前記第１のピクチャに時間的に先行する、前記ＤＰＢに記憶されたすべてのピクチャの前記ＰＯＣ値をデクリメントするために、前記ビデオコーダが、前記アクセスユニットの符号化中に１回のみ、前記ＰＯＣ値をデクリメントすることと、および／または、前記第１のピクチャのビデオデータの初期スライスのためのスライスヘッダを符号化した後、前記ＰＯＣ値をデクリメントすることとを行うように構成される、請求項８に記載のデバイス。
【請求項９】
前記ＰＯＣリセットを示す前記データを復号するために、前記ビデオデコーダが、ビデオデータの前記第１のピクチャのスライスのためのＰＯＣリセットインデックスを表すデータを復号するように構成される、請求項７に記載のデバイス、または前記ＰＯＣリセットを示す前記データを符号化するために、前記ビデオエンコーダが、ビデオデータの前記第１のピクチャのスライスのためのＰＯＣリセットインデックスを表すデータを符号化するように構成される、請求項８に記載のデバイス。
【請求項１０】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットであり、および／または、
前記第１のピクチャが、前記アクセスユニット中に存在する最下位レイヤ識別子に関連付けられたピクチャであり、ここにおいて、前記ＰＯＣ値をデクリメントするために、前記ビデオデコーダ／エンコーダが、同じＰＯＣデクリメント値を使用して、前記ＰＯＣ値をデクリメントするように構成され、
前記ビデオデコーダが、好ましくは、前記ＰＯＣ値をデクリメントするための前記ＰＯＣデクリメント値を示す、ＤｅｌｔａＰｏｃＶａｌシンタックス要素を復号するようにさらに構成され、または、前記ビデオエンコーダが、好ましくは、前記ＰＯＣ値をデクリメントするための前記ＰＯＣデクリメント値を示す、ＤｅｌｔａＰｏｃＶａｌシンタックス要素を符号化するようにさらに構成される、請求項７または請求項８に記載のデバイス。
【請求項１１】
前記アクセスユニットが、前記第１のピクチャと少なくとも１つの第２のピクチャとを含み、ここにおいて、前記ＰＯＣリセットを示す前記データが、ＰＯＣリセットインデックスを備え、ここにおいて、前記ビデオデコーダが、前記アクセスユニットの前記少なくとも１つの第２のピクチャを含む、前記アクセスユニットのすべての他のピクチャのために、同じＰＯＣリセットインデックスを復号するようにさらに構成される、請求項７に記載のデバイス、または、前記アクセスユニットが、前記第１のピクチャと少なくとも１つの第２のピクチャとを含み、ここにおいて、前記ＰＯＣリセットを示す前記データが、ＰＯＣリセットインデックスを備え、ここにおいて、前記ビデオエンコーダが、前記アクセスユニットの前記少なくとも１つの第２のピクチャを含む、前記アクセスユニットのすべての他のピクチャのために、同じＰＯＣリセットインデックスを符号化するようにさらに構成される、請求項８に記載のデバイス。
【請求項１２】
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備え、および／または、
前記ＰＯＣリセット値を示す前記データが、前記マルチレイヤビデオデータのすべてのレイヤに適用可能であるＰＯＣリセット期間に関連付けられる、請求項７または請求項８に記載のデバイス。
【請求項１３】
前記デバイスが、
集積回路、
マイクロプロセッサ、または
ワイヤレス通信デバイスのうちの少なくとも１つを備える、請求項７または請求項８に記載のデバイス。
【請求項１４】
実行されると、ビデオデータをコーディングするためのデバイスのプロセッサに、請求項１から６のいずれか一項に記載の方法を実行することを行わせる命令を記憶した、非一時的コンピュータ可読記憶媒体。
【手続補正２】
【補正対象書類名】明細書
【補正対象項目名】０３００
【補正方法】変更
【補正の内容】
【０３００】
[0171]様々な例が、説明された。これらおよび他の例は、次の特許請求の範囲内に入る。
以下に本願の出願当初の特許請求の範囲に記載された発明を付記する。
［Ｃ１］
ビデオデータを復号する方法であって、
マルチレイヤビデオデータの第１のレイヤの第１のピクチャのピクチャ順序カウント（ＰＯＣ）値のためのＰＯＣリセットを示すデータを復号することと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、復号ピクチャバッファ（ＤＰＢ）に記憶されたすべてのピクチャのＰＯＣ値をデクリメントすることとを備える方法。
［Ｃ２］
前記第１のピクチャに時間的に先行する、前記ＤＰＢに記憶されたすべてのピクチャの前記ＰＯＣ値をデクリメントすることが、前記アクセスユニットの復号中に１回のみ、前記ＰＯＣ値をデクリメントすることを備える、Ｃ１に記載の方法。
［Ｃ３］
前記ＰＯＣ値をデクリメントすることが、前記第１のピクチャのビデオデータの初期スライスのためのスライスヘッダを復号した後、前記ＰＯＣ値をデクリメントすることを備える、Ｃ１に記載の方法。
［Ｃ４］
前記ＰＯＣリセットを示す前記データを復号することが、ビデオデータの前記第１のピクチャのスライスのためのＰＯＣリセットインデックスを表すデータを復号することを備える、Ｃ１に記載の方法。
［Ｃ５］
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、Ｃ１に記載の方法。
［Ｃ６］
前記第１のピクチャが、前記アクセスユニット中に存在する最下位レイヤ識別子に関連付けられたピクチャであり、ここにおいて、前記ＰＯＣ値をデクリメントすることが、共通のＰＯＣデクリメント値を使用して、前記ＰＯＣ値をデクリメントすることを備える、Ｃ１に記載の方法。
［Ｃ７］
前記ＰＯＣ値をデクリメントするためのＰＯＣデクリメント値を示す、ＤｅｌｔａＰｏｃＶａｌシンタックス要素を復号することをさらに備える、Ｃ６に記載の方法。
［Ｃ８］
前記アクセスユニットが、前記第１のピクチャと少なくとも１つの追加のピクチャとを含み、ここにおいて、前記ＰＯＣリセットを示す前記データが、ＰＯＣリセットインデックスを備え、前記方法が、前記アクセスユニットの前記少なくとも１つの第２のピクチャを含む、前記アクセスユニットのすべての他のピクチャのために、同じＰＯＣリセットインデックスを復号することをさらに備える、Ｃ１に記載の方法。
［Ｃ９］
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備える、Ｃ１に記載の方法。
［Ｃ１０］
前記ＰＯＣリセット値を示す前記データが、前記マルチレイヤビデオデータのすべてのレイヤに適用可能であるＰＯＣリセット期間に関連付けられる、Ｃ１に記載の方法。
［Ｃ１１］
ビデオデータを符号化する方法であって、
マルチレイヤビデオデータの第１のレイヤの第１のピクチャのピクチャ順序カウント（ＰＯＣ）値のためのＰＯＣリセットを示すデータを符号化することと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、復号ピクチャバッファ（ＤＰＢ）に記憶されたすべてのピクチャのＰＯＣ値をデクリメントすることとを備える方法。
［Ｃ１２］
前記第１のピクチャに時間的に先行する、前記ＤＰＢに記憶されたすべてのピクチャの前記ＰＯＣ値をデクリメントすることが、前記アクセスユニットの符号化中に１回のみ、前記ＰＯＣ値をデクリメントすることを備える、Ｃ１１に記載の方法。
［Ｃ１３］
前記ＰＯＣ値をデクリメントすることが、前記第１のピクチャのビデオデータの初期スライスのためのスライスヘッダを符号化した後、前記ＰＯＣ値をデクリメントすることを備える、Ｃ１１に記載の方法。
［Ｃ１４］
前記ＰＯＣリセットを示す前記データを符号化することが、ビデオデータの前記第１のピクチャのスライスのためのＰＯＣリセットインデックスを表すデータを符号化することを備える、Ｃ１１に記載の方法。
［Ｃ１５］
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、Ｃ１１に記載の方法。
［Ｃ１６］
前記第１のピクチャが、前記アクセスユニット中に存在する最下位レイヤ識別子に関連付けられたピクチャであり、ここにおいて、前記ＰＯＣ値をデクリメントすることが、同じＰＯＣデクリメント値を使用して、前記ＰＯＣ値をデクリメントすることを備える、Ｃ１１に記載の方法。
［Ｃ１７］
前記ＰＯＣ値をデクリメントするための前記ＰＯＣデクリメント値を示す、ＤｅｌｔａＰｏｃＶａｌシンタックス要素を符号化することをさらに備える、Ｃ１６に記載の方法。
［Ｃ１８］
前記アクセスユニットが、前記第１のピクチャと少なくとも１つの第２のピクチャとを含み、ここにおいて、前記ＰＯＣリセットを示す前記データが、ＰＯＣリセットインデックスを備え、前記方法が、前記アクセスユニットの前記少なくとも１つの第２のピクチャを含む、前記アクセスユニットのすべての他のピクチャのために、同じＰＯＣリセットインデックスを符号化することをさらに備える、Ｃ１１に記載の方法。
［Ｃ１９］
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備える、Ｃ１１に記載の方法。
［Ｃ２０］
前記ＰＯＣリセット値を示す前記データが、前記マルチレイヤビデオデータのすべてのレイヤに適用可能であるＰＯＣリセット期間に関連付けられる、Ｃ１１に記載の方法。
［Ｃ２１］
ビデオデータをコーディングするためのデバイスであって、
マルチレイヤビデオデータを記憶するように構成された復号ピクチャバッファ（ＤＰＢ）を備えるメモリと、
前記マルチレイヤビデオデータの第１のレイヤの第１のピクチャのピクチャ順序カウント（ＰＯＣ）値のためのＰＯＣリセットを示すデータをコーディングすることと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、前記ＤＰＢに記憶されたすべてのピクチャのＰＯＣ値をデクリメントすることとを行うように構成されたビデオコーダとを備えるデバイス。
［Ｃ２２］
前記第１のピクチャに時間的に先行する、前記ＤＰＢに記憶されたすべてのピクチャの前記ＰＯＣ値をデクリメントするために、前記ビデオコーダが、前記アクセスユニットのコーディング中に１回のみ、前記ＰＯＣ値をデクリメントするように構成される、Ｃ２１に記載のデバイス。
［Ｃ２３］
前記ＰＯＣ値をデクリメントするために、前記ビデオコーダが、前記第１のピクチャのビデオデータの初期スライスのためのスライスヘッダを符号化した後、前記ＰＯＣ値をデクリメントするように構成される、Ｃ２１に記載のデバイス。
［Ｃ２４］
前記ＰＯＣリセットを示す前記データをコーディングするために、前記ビデオコーダが、ビデオデータの前記第１のピクチャのスライスのためのＰＯＣリセットインデックスを表すデータをコーディングするように構成される、Ｃ２１に記載のデバイス。
［Ｃ２５］
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、Ｃ２１に記載のデバイス。
［Ｃ２６］
前記第１のピクチャが、前記アクセスユニット中に存在する最下位レイヤ識別子に関連付けられたピクチャであり、ここにおいて、前記ＰＯＣ値をデクリメントするために、前記ビデオコーダが、同じＰＯＣデクリメント値を使用して、前記ＰＯＣ値をデクリメントするように構成される、Ｃ２１に記載のデバイス。
［Ｃ２７］
前記ビデオコーダが、前記ＰＯＣ値をデクリメントするための前記ＰＯＣデクリメント値を示す、ＤｅｌｔａＰｏｃＶａｌシンタックス要素をコーディングするようにさらに構成される、Ｃ２６に記載のデバイス。
［Ｃ２８］
前記アクセスユニットが、前記第１のピクチャと少なくとも１つの第２のピクチャとを含み、ここにおいて、前記ＰＯＣリセットを示す前記データが、ＰＯＣリセットインデックスを備え、ここにおいて、前記ビデオコーダが、前記アクセスユニットの前記少なくとも１つの第２のピクチャを含む、前記アクセスユニットのすべての他のピクチャのために、同じＰＯＣリセットインデックスをコーディングするようにさらに構成される、Ｃ２１に記載のデバイス。
［Ｃ２９］
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備える、Ｃ２１に記載のデバイス。
［Ｃ３０］
前記ＰＯＣリセット値を示す前記データが、前記マルチレイヤビデオデータのすべてのレイヤに適用可能であるＰＯＣリセット期間に関連付けられる、Ｃ２１に記載のデバイス。
［Ｃ３１］
前記デバイスが、
集積回路、
マイクロプロセッサ、または
ワイヤレス通信デバイスのうちの少なくとも１つを備える、Ｃ２１に記載のデバイス。
［Ｃ３２］
ビデオデータをコーディングするためのデバイスであって、
マルチレイヤビデオデータの第１のレイヤの第１のピクチャのピクチャ順序カウント（ＰＯＣ）値のためのＰＯＣリセットを示すデータをコーディングするための手段と、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、前記ＤＰＢに記憶されたすべてのピクチャのＰＯＣ値をデクリメントするための手段とを備えるデバイス。
［Ｃ３３］
前記第１のピクチャに時間的に先行する、前記ＤＰＢに記憶されたすべてのピクチャの前記ＰＯＣ値をデクリメントするための前記手段が、前記アクセスユニットのコーディング中に１回のみ、前記ＰＯＣ値をデクリメントするための手段を備える、Ｃ３２に記載のデバイス。
［Ｃ３４］
前記ＰＯＣ値をデクリメントするための前記手段が、前記第１のピクチャのビデオデータの初期スライスのためのスライスヘッダを符号化した後、前記ＰＯＣ値をデクリメントすることを備える、Ｃ３２に記載のデバイス。
［Ｃ３５］
前記ＰＯＣリセットを示す前記データをコーディングするための前記手段が、ビデオデータの前記第１のピクチャのスライスのためのＰＯＣリセットインデックスを表すデータをコーディングするための手段を備える、Ｃ３２に記載のデバイス。
［Ｃ３６］
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、Ｃ３２に記載のデバイス。
［Ｃ３７］
命令を記憶した非一時的コンピュータ可読記憶媒体であって、前記命令が、実行されると、ビデオデータをコーディングするためのデバイスのプロセッサに、
マルチレイヤビデオデータの第１のレイヤの第１のピクチャのピクチャ順序カウント（ＰＯＣ）値のためのＰＯＣリセットを示すデータをコーディングすることと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、前記ＤＰＢに記憶されたすべてのピクチャのＰＯＣ値をデクリメントすることとを行わせる、非一時的コンピュータ可読記憶媒体。
［Ｃ３８］
前記第１のピクチャに時間的に先行する、前記ＤＰＢに記憶されたすべてのピクチャの前記ＰＯＣ値をデクリメントするために、前記命令が前記プロセッサに、前記アクセスユニットのコーディング中に１回のみ、前記ＰＯＣ値をデクリメントすることを行わせる、Ｃ３７に記載の非一時的コンピュータ可読記憶媒体。
［Ｃ３９］
前記ＰＯＣ値をデクリメントするために、前記命令が前記プロセッサに、前記第１のピクチャのビデオデータの初期スライスのためのスライスヘッダを符号化した後、前記ＰＯＣ値をデクリメントすることを行わせる、Ｃ３７に記載の非一時的コンピュータ可読記憶媒体。
［Ｃ４０］
前記ＰＯＣリセットを示す前記データをコーディングするために、前記命令が前記プロセッサに、ビデオデータの前記第１のピクチャのスライスのためのＰＯＣリセットインデックスを表すデータをコーディングすることを行わせる、Ｃ３７に記載の非一時的コンピュータ可読記憶媒体。
［Ｃ４１］
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、Ｃ３７に記載の非一時的コンピュータ可読記憶媒体。